(57)【特許請求の範囲】
【請求項１】
データをキー入力するキー入力部と、入力されたデータを表示する表示部と、音声を出力する音声出力部とを含むコンピュータを使用して、少なくとも２つの入力項目に対して連続してデータを入力するための入力ガイド方法であって、
いずれかの前記入力項目への入力が可能な状態になると、前記表示部を見なくても前記キー入力部からデータを入力できるように、該入力項目をその他の入力項目から区別可能に表す一音のガイド音声を前記音声出力部から出力する段階を含む入力ガイド方法。
【請求項２】
前記一音のガイド音声を出力後所定時間が経過してもデータの入力が開始されないと、前記一音のガイド音声よりも長いガイド音声を前記音声出力部から出力する段階を含む請求項１記載の入力ガイド方法。
【請求項３】
前記一音のガイド音声を出力後データの入力が開始されないと、該出力後所定時間が経過するごとに、直前に出力した前記ガイド音声よりも長いガイド音声を前記音声出力部から出力する段階を含む請求項１記載の入力ガイド方法。
【請求項４】
前記コンピュータには、小型表示部を備えた、キー入力部に添設可能な補助装置が接続され、
前記ガイド音声を出力する段階の前後に又は同時に、入力可能なデータに関する情報を前記小型表示部に表示する段階を含む請求項１〜３のいずれか一項に記載の入力ガイド方法。
【請求項５】
前記コンピュータには、小型表示部及び小型入力部を備えた、キー入力部に添設可能な補助装置が接続され、
前記ガイド音声を出力する段階の前後に又は同時に、入力可能なデータを前記小型入力部から選択入力可能に前記小型表示部にリスト表示する段階を含む請求項１〜３のいずれか一項に記載の入力ガイド方法。
【請求項６】
前記補助装置はタッチ式パネルである請求項５記載の入力ガイド方法。
【請求項７】
データをキー入力するキー入力部と、入力されたデータを表示する表示部と、音声を出力する音声出力部とを含むコンピュータを、少なくとも２つの入力項目に対して連続してデータを入力するために機能させるための入力ガイドプログラムであって、
いずれかの前記入力項目への入力が可能な状態になると、前記表示部を見なくても前記キー入力部からデータを入力できるように、該入力項目をその他の入力項目から区別可能に表す一音のガイド音声を前記音声出力部から出力する手段を含む入力ガイド手段として機能させるための入力ガイドプログラム。
【請求項８】
前記一音のガイド音声を出力後所定時間が経過してもデータの入力が開始されないと、前記一音のガイド音声よりも長いガイド音声を前記音声出力部から出力する手段を含む入力ガイド手段として機能させるための請求項７記載の入力ガイドプログラム。
【請求項９】
前記一音のガイド音声を出力後データの入力が開始されないと、該出力後所定時間が経過するごとに、直前に出力した前記ガイド音声よりも長いガイド音声を前記音声出力部から出力する手段を含む入力ガイド手段として機能させるための請求項７記載の入力ガイドプログラム。
【請求項１０】
前記コンピュータには、小型表示部を備えた、キー入力部に添設可能な補助装置が接続され、
前記ガイド音声を出力する前後に又は同時に、入力可能なデータに関する情報を前記小型表示部に表示する手段を含む入力ガイド手段として機能させるための請求項７〜９のいずれか一項に記載の入力ガイドプログラム。
【請求項１１】
前記コンピュータには、小型表示部及び小型入力部を備えた、キー入力部に添設可能な補助装置が接続され、
前記ガイド音声を出力する前後に又は同時に、入力可能なデータを前記小型入力部から選択入力可能に前記小型表示部にリスト表示する手段を含む入力ガイド手段として機能させるための請求項７〜９のいずれか一項に記載の入力ガイドプログラム。
【請求項１２】
前記補助装置はタッチ式パネルである請求項１１記載の入力ガイドプログラム。
【請求項１３】
請求項７〜１２のいずれか一項に記載の入力ガイドプログラムを記録したコンピュータ読取可能な記録媒体。
【発明の詳細な説明】
【０００１】
【発明の属する技術分野】
本発明は、少なくとも２つの入力項目に対して連続してデータを入力するための入力ガイド方法、入力ガイドプログラム、及び当該プログラムを記録したコンピュータ読取可能な記録媒体に関するものである。
【０００２】
【従来の技術】
コンピュータを使用して、少なくとも２つの入力項目に対して連続してデータを入力する場合の例として、会計データの仕訳データを入力する場合を挙げる。この仕訳データの入力作業は、例えば日付、借方科目、同補助科目、貸方科目、同補助科目、金額、摘要、税区分等をの取引情報を伝票から読み取り、コンピュータへ繰り返し素早く入力する作業となる。
【０００３】
【発明が解決しようとする課題】
ところが、仕訳データの入力作業では、入力項目を画面で目で確認する作業と、該入力項目へ入力する取引情報を伝票から目で読み取る作業とを交互に素早く行う必要がある。このため、頭部及び眼球を広範囲に素早く運動させなければならず、ユーザが疲労しやすいという問題がある。これに加え、キーボードをブラインド操作できないユーザの場合は、さらに入力時にキーボードを見なければならず、前記運動範囲がより広くなって、さらに疲労しやすくなるという問題がある。
【０００４】
本発明の目的は、上記課題を解決し、データの入力作業の効率を向上させるとともに、ユーザの疲労度を低減することができる入力ガイド方法、入力ガイドプログラム、及び当該プログラムを記録したコンピュータ読取可能な記録媒体を提供することにある。
【０００５】
【課題を解決するための手段】
上記目的を達成するために、本発明の入力ガイド方法は、データをキー入力するキー入力部と、入力されたデータを表示する表示部と、音声を出力する音声出力部とを含むコンピュータを使用して、少なくとも２つの入力項目に対して連続してデータを入力するための入力ガイド方法であって、いずれかの前記入力項目への入力が可能な状態になると、前記表示部を見なくても前記キー入力部からデータを入力できるように、該入力項目をその他の入力項目から区別可能に表す一音のガイド音声を前記音声出力部から出力する段階を含んでいる。
【０００６】
前記入力ガイド方法は、前記一音のガイド音声を出力後所定時間が経過してもデータの入力が開始されないと、前記一音のガイド音声よりも長いガイド音声を前記音声出力部から出力する段階を含む態様を例示できる。
【０００７】
前記入力ガイド方法は、前記一音のガイド音声を出力後データの入力が開始されないと、該出力後所定時間が経過するごとに、直前に出力した前記ガイド音声よりも長いガイド音声を前記音声出力部から出力する段階を含む態様を例示できる。
【０００８】
前記コンピュータには、小型表示部を備えた、キー入力部に添設可能な補助装置が接続され、前記ガイド音声を出力する段階の前後に又は同時に、入力可能なデータに関する情報を前記小型表示部に表示する段階を含む態様を例示できる。
【０００９】
前記コンピュータには、小型表示部及び小型入力部を備えた、キー入力部に添設可能な補助装置が接続され、前記ガイド音声を出力する段階の前後に又は同時に、入力可能なデータを前記小型入力部から選択入力可能に前記小型表示部にリスト表示する段階を含む態様を例示できる。
【００１０】
前記補助装置は、特に限定されないが、タッチ式パネルである態様を例示できる。
【００１１】
また、本発明の入力ガイドプログラムは、データをキー入力するキー入力部と、入力されたデータを表示する表示部と、音声を出力する音声出力部とを含むコンピュータを、少なくとも２つの入力項目に対して連続してデータを入力するために機能させるための入力ガイドプログラムであって、いずれかの前記入力項目への入力が可能な状態になると、前記表示部を見なくても前記キー入力部からデータを入力できるように、該入力項目をその他の入力項目から区別可能に表す一音のガイド音声を前記音声出力部から出力する手段を含む入力ガイド手段として機能させるためのものとしている。
【００１２】
前記入力ガイドプログラムは、前記一音のガイド音声を出力後所定時間が経過してもデータの入力が開始されないと、前記一音のガイド音声よりも長いガイド音声を前記音声出力部から出力する手段を含む入力ガイド手段として機能させるためのものとした態様を例示できる。
【００１３】
前記入力ガイドプログラムは、前記一音のガイド音声を出力後データの入力が開始されないと、該出力後所定時間が経過するごとに、直前に出力した前記ガイド音声よりも長いガイド音声を前記音声出力部から出力する手段を含む入力ガイド手段として機能させるためのものとした態様を例示できる。
【００１４】
前記コンピュータには、小型表示部を備えた、キー入力部に添設可能な補助装置が接続され、前記ガイド音声を出力する前後に又は同時に、入力可能なデータに関する情報を前記小型表示部に表示する手段を含む入力ガイド手段として機能させるためのものとした態様を例示できる。
【００１５】
前記コンピュータには、小型表示部及び小型入力部を備えた、キー入力部に添設可能な補助装置が接続され、前記ガイド音声を出力する前後に又は同時に、入力可能なデータを前記小型入力部から選択入力可能に前記小型表示部にリスト表示する手段を含む入力ガイド手段として機能させるためのものとした態様を例示できる。
【００１６】
前記補助装置は、特に限定されないが、タッチ式パネルである態様を例示できる。
【００１７】
また、本発明のコンピュータ読み取り可能な記録媒体は、前記入力ガイドプログラムを記録した態様を例示できる。
【００１８】
前記音声としては、特に限定されないが、音、音楽、人の声、動物の声等を例示できる。また、前記短いガイド音声としては、入力が可能な状態の入力項目をその他の入力項目から区別可能に識別できるものであれば、特に限定されず、短い一音又は数音（単音、複音又は和音）とすることや、早口の短い音声とすることや、短い動物の声とすることを例示できる。また、単独の各ガイド音声は、その他のガイド音声から完全に区別可能に構成されている必要はなく、例えば、２以上のガイド音声の前後関係から他のガイド音声と区別可能に構成してもよい。
【００１９】
【発明の実施の形態】
図１〜図９は本発明を具体化した実施形態の入力ガイドプログラムとしての会計処理プログラムを示している。以下、本発明を同プログラムに具体化した実施形態について、同プログラムを使用して実施する入力ガイド方法と同プログラムを記録したコンピュータ読取可能な記録媒体とともに、図面を参照して説明する。本実施形態では、コンピュータを使用して、会計処理に関する少なくとも２つの入力項目に対して連続してデータを入力する態様を示す。このコンピュータ１は、図１及び図２に示すようにコンピュータ本体２と、データをキー入力するキー入力部としてのキーボード３と、キーボード３に添設可能な補助装置としての補助パネル４と、入力されたデータを表示する表示部５とを備えている。
【００２０】
図３に示すようにコンピュータ本体２は、コンピュータ１全体を制御する制御部１０と、プログラムやデータ（音声データを含む）を記憶する記憶部１１と、表示部５を接続するための表示インターフェース１２（以下、インターフェースを「Ｉ／Ｆ」と略す。）と、補助パネル４を接続するための補助パネルＩ／Ｆ１３と、キーボード３を接続するためのキーボードＩ／Ｆ１４と、音声データをアナログ音声信号に変換する音声出力Ｉ／Ｆ１５と、該音声出力Ｉ／Ｆ１５に接続されて音声を出力する音声出力部としてのスピーカ１６とを備えている。
【００２１】
制御部１０は、ＣＰＵ（中央処理装置）、ＲＯＭ（読取り専用記憶装置）、ＲＡＭ（読取り書込み記憶装置）等（いずれも図示略）が互いにバスを介して接続されてなる公知の構成を備えており、記憶部１１に記憶されたプログラムやデータを前記ＲＡＭに読み込むとともに、それらの内容に従ってコンピュータ１全体を制御する。
【００２２】
記憶部１１は、例えば、ハードディスク装置、リムーバルディスク装置（フロッピーディスク、光磁気ディスク、ＣＤ−ＲＯＭ、ＣＤ−Ｒ、ＣＤ−ＲＷ等のリムーバルな記録媒体の読書装置）、メモリーカード等の記憶装置からなっている。このハードディスク装置や、リムーバルな記録媒体には、会計処理プログラム２０、会計処理データ２１、音声データ２２等が記録されるようになっており、これらがプログラム（及びデータ）を記録したコンピュータ読み取り可能な記録媒体である。
【００２３】
音声出力Ｉ／Ｆ１５の構成としては、特に限定されないが、音声データ２２をデジタル音声信号化する音声合成部と、該デジタル音声信号をアナログ音声信号化するＤ／Ａ変換部と、該アナログ音声信号を増幅する増幅部とを含む構成（図示略）とすることを例示できる。
【００２４】
表示部５は、例えば、液晶ディスプレイ装置、ブラウン管ディスプレイ装置等からなっている。この表示部５には、処理を選択するためのメニューや、データを入力するための入力画面等が表示される。
【００２５】
会計処理データ２１は、データを入力するための各種入力画面を表示部５に表示するための入力画面データ２５と、後述するリストタイプの各データについて、その入力可能なデータのリストが記録された各種リストデータベース２６（以下、データベースのことを「ＤＢ」という。）とを含んでいる。
【００２６】
入力画面データ２５は、入力画面に含まれる各入力項目毎に、その入力項目に関する情報を記録した入力項目データ２７を含んでいる。各入力項目データ２７は、図４に示すように該入力項目を識別するための入力項目名３０と、該入力項目をその他の入力項目から区別可能に表す短いガイド名である短ガイド名３１と、該短ガイド名３１よりも長いガイド名である長ガイド名３２と、入力データ種別３３（所定のリストから選択入力する入力項目のタイプである「リストタイプ」、又はリストタイプ以外のタイプである「その他タイプ」のいずれか）と、入力条件３４とを含んでいる。入力条件３４には、入力データ種別３３がリストタイプの場合、その入力可能なデータのリストが記録されたリストＤＢ２６を示すリストＤＢ情報を含み、入力データ種別３３がその他タイプの場合、入力可能なデータの条件を含んでいる。入力可能なデータの条件としては、特に限定されないが、入力データの種類（文字列、数字等）、入力可能な範囲（文字列長や数字の最小値、最大値等）を例示できる。
【００２７】
入力画面データ２５の一例として、仕訳データの入力画面データについて説明する。図５は、同入力画面データ２５に基づく画面４０を示しており、該画面は、会計データに関する情報（会計年度、会計対象の会社名、月、仕訳データの現在の入力数／仕訳データの最大入力数）を表示する情報表示エリア４１と、登録済み仕訳データを一覧表形式で示する一覧表示エリア４２と、新規仕訳データ又は登録済み仕訳データの内容を訂正するための入力エリア４３と、キーボード３の各ファンクションキー３ａに割り付けられた機能を表示するファンクション表示エリア４４とを含んでいる。例えば、ファンクションキー３ａの［Ｆ１］には入力エリア４３へ入力された仕訳データを登録する機能、同［Ｆ２］には登録済み仕訳データのうち一覧表示エリア４２で選択されたものを訂正するために入力エリア４３に読み出す機能、同［Ｆ３］には登録済み仕訳データのうち一覧表示エリア４２で選択されたものを削除する機能がそれぞれ割り付けられている。
【００２８】
この入力エリア４３は、例えば、仕訳データの入力順に自動付番される番号を表示する番号表示項目５０と、仕訳の日付を入力する日付入力項目５１と、借方の勘定科目コードを入力する借方入力項目５２と、借方入力項目に入力された勘定科目コードが示す勘定科目名を表示する借方表示項目５３と、借方の補助科目コードを入力する借方補助入力項目５４と、貸方の勘定科目コードを入力する貸方入力項目５５と、貸方入力項目に入力された勘定科目コードが示す勘定科目名を表示する貸方表示項目５６と、貸方の補助科目コードを入力する貸方補助入力項目５７と、金額を入力する金額入力項目５８と、摘要を入力する摘要入力項目５９と、課税区分コードを入力する課税区分入力項目６０と、消費税率区分コードを入力する消費税率区分入力項目６１とを含んでいる。図６は、仕訳データの入力画面データ２５についての各入力項目データ２７を示している。なお、借方補助及び貸方補助の短ガイド名３１がいずれも「ホ」になっているが、それぞれの直前の短ガイド名３１（借方が「リ」、貸方が「シ」）が互いに異なっており、すなわち直前の短ガイド名３１との前後関係で他の短ガイド名３１と区別可能に構成されている。
【００２９】
リストＤＢ２６としては、特に限定されないが、勘定科目のリストを記録した勘定科目ＤＢ、補助科目のリストを記録した補助科目ＤＢ、課税区分コードのリストを記録した課税区分ＤＢ、消費税率の区分コードのリストを記録した消費税率区分ＤＢ等（いずれも図示略）を例示できる。
【００３０】
補助パネル４は、小型表示部及び小型入力部としての機能を備えたタッチ式パネルを備えている。図２に示すように、例えばキーボード３の右奥側端部に載せて使用するように構成する場合が挙げられる。この場合の補助パネル４の大きさとしては、キーボード３に載せることが可能な大きさであれば特に限定されないが、幅約９０ｍｍ、奥行約６０ｍｍ、高さ約５ｍｍに構成することを例示できる。補助パネル４の小型表示部には、入力が可能な状態になっている入力項目への入力データ種別３３に応じて次のいずれかの内容が表示される。すなわち、入力データ種別３３がリストタイプの場合は入力条件３４に示されているリストＤＢ２６のデータが表示され、入力データ種別３３がその他タイプの場合は入力条件３４に示された入力可能なデータの条件が表示されるようになっている。そして、リストタイプの場合は、小型表示部に表示されているデータを指やペンで押すことにより、そのデータを入力項目に入力することができるように構成されている。
【００３１】
図７は、補助パネル４の画面の表示例を示している。同図（ａ）は入力データ種別３３がリストタイプの場合の画面を示している。同画面は、データのリストを表示するリスト表示エリア６５と、該表示エリア６５の表示内容を上下にスクロールさせるためのスクロールボタン６６とを含んでいる。また、同図（ｂ）は入力データ種別３３がその他タイプの場合の画面を示している。同画面は、入力可能なデータの条件としての、入力データの種類を表示する種類表示エリア７０と、入力可能な範囲を表示する範囲表示エリア７１と、現在の入力項目への入力内容を表示する入力内容表示エリア７２とを含んでいる。
【００３２】
次に、会計処理プログラム２０におけるデータを入力する処理について説明すると、該処理は、表示部５に少なくとも２以上の入力項目を含む入力画面を表示した状態であって、いずれかの入力項目への入力が可能な状態になると、次のように処理するように構成されている。すなわち、まず、該入力項目についての入力項目データ２７を参照する。そして、入力データ種別３３がリストタイプである場合、入力条件３４に示されたリストＤＢ２６をオープンし、該リストＤＢ２６に格納されたデータのリストを補助パネル４に表示し、入力データ種別３３がその他タイプである場合、入力条件３４に示された入力データの種類及び入力可能な範囲を補助パネル４に表示する。次いで、後述する音声出力処理（ステップＳ１００）を実行し、ガイド音声を出力する。これとともに、キーボード３からのキー入力又は補助パネル４からのタッチ入力を処理するようになっている。そして、キーボード３からのキー入力があると、その内容が入力画面の入力項目に挿入される。また、補助パネル４に表示されたリストタイプのデータがタッチ入力されると、そのデータが入力画面の入力項目に挿入される。このようにガイド音声を出力する段階の前に、入力可能なデータを補助パネル４から選択入力可能に該補助パネル４にリスト表示するようになっている。
【００３３】
図８は音声出力処理（ステップＳ１００）の流れを示しており、この処理では、まず、入力項目データ２７の短ガイド名３１を読み出し、音声出力Ｉ／Ｆ１５及びスピーカ１６を介して短いガイド音声として出力する（ステップＳ１０１）。次いで、キーボードＩ／Ｆ１４及び補助パネルＩ／Ｆ１５の入力状態を読み出し、キーボード３からのキー入力又は補助パネル４からのタッチ入力があるかどうかをチェックする（ステップＳ１０２）。そして、キー入力又はタッチ入力があればすぐに処理を終了し（ステップＳ１０５）、いずれも入力がなければステップＳ１０３に進む。ステップＳ１０３では、本処理（ステップＳ１００）が開始されてから所定時間（例えば、約３秒。任意の秒数を設定できるように構成してもよい。）が経過したかどうかをチェックする。そして、所定時間が経過していなければステップＳ１０２に戻り、所定時間が経過していれば入力項目データ２７の長ガイド名３２を読み出し、音声出力Ｉ／Ｆ１５及びスピーカ１６を介して長いガイド音声として出力し（ステップＳ１０４）、処理を終了する（ステップＳ１０５）。
【００３４】
このように、いずれかの入力項目への入力が可能な状態になると、表示部５を見なくてもキーボード３からデータを入力できるように、該入力項目をその他の入力項目から区別可能に表す短いガイド音声をスピーカ１６から出力するようになっている。また、短いガイド音声を出力後所定時間が経過してもデータの入力が開始されないと、短いガイド音声よりも長いガイド音声をスピーカ１６から出力するようになっている。
【００３５】
次に、会計処理プログラム２０におけるデータを入力する処理の一連の動作例として、新規の仕訳データを入力するときの動作について説明する。まず、ユーザから新規の仕訳データの入力が指示されると、入力画面データ２５から仕分けデータ入力画面データが読み出され、図５に示すように仕訳データ入力画面が表示部５に表示される（このとき、各入力項目の内容は空欄になっている）。そして、日付入力項目５１への入力が可能な状態となり、同入力項目５１の短いガイド音声である「ヒ」という音声が出力される。ユーザは、このガイド音声を聞き、キーボード３を操作し、数字キーを押下することにより日付を入力するとともに、同内容を確定するための所定のキーを押下する。すると、次の入力項目である借方入力項目５２への入力が可能な状態となり、同入力項目５２の短いガイド音声である「リ」という音声が出力される。ユーザは、この音声を聞き、キーボード３を操作し、勘定科目コードを入力するとともに、同内容を確定するための所定のキーを押下する。これらと同様に、借方補助入力項目５４、貸方入力項目５５、貸方補助入力項目５７、金額入力項目５８、摘要入力項目５９、課税区分入力項目６０、及び消費税率区分入力項目６１について繰り返し、ファンクションキー３ａの［Ｆ１］を押下すると、入力エリア４３に入力された仕訳データが登録され、次の新規仕訳データの入力を受け付ける状態になる。
【００３６】
なお、上記ガイド音声の出力とともに、補助パネル４には、図７に示すように入力項目の入力データ種別３３に応じて、リストタイプの場合は入力可能なデータのリストが、その他タイプの場合は入力可能なデータの条件が、それぞれ表示される。そして、リストタイプの場合には、表示されているデータを指やペンで押すことにより、そのデータを入力することができる。また、短いガイド音声が出力されてから所定時間が経過しても、キーボード３又は補助パネル４からデータが入力されないと、長いガイド音声が出力される。
【００３７】
以上のように構成された本発明の入力ガイドプログラムとしての会計処理プログラム２０及び、入力ガイド方法、及び当該プログラムを記録したコンピュータ読取可能な記録媒体によれば、各入力項目への入力が可能な状態になると短いガイド音声が出力されるので、表示部５の表示を確認しなくても、該ガイド音声を聞くことにより入力が可能になっている入力項目を把握することができる。このため、図９に示すように入力時にキーボード３及び補助パネル４を見るだけでよいので、頭部及び眼球の運動範囲を狭くすることができ、ユーザの疲労度を低減することができる。
【００３８】
しかも、ガイド音声は他の入力項目と区別可能に短く出力されるので、ユーザはすぐに入力項目を把握でき、短い間隔でテンポよく入力することができる。このため、データの入力作業の効率を向上させることができる。
【００３９】
また、短いガイド音声を出力後所定時間が経過してもデータの入力が開始されないと、短いガイド音声よりも長いガイド音声が出力されるので、ユーザは短いガイド音声で入力項目が把握できない場合でも、長いガイド音声により把握することができる。
【００４０】
また、ガイド音声とともに、入力可能なデータをタッチ式パネルからなる補助パネル４から選択入力可能に該補助パネル４にリスト表示するので、表示されたデータを例えば指でタッチして選択するだけで簡単に入力することができる。そして、本実施形態に示しているようにマウスを使用しなくてもキーボード３及び補助パネル４からデータを効率よく入力することができるようになっている。
【００４１】
なお、本発明は前記実施形態に限定されるものではなく、例えば以下のように、発明の趣旨から逸脱しない範囲で適宜変更して具体化することもできる。
（１）短いガイド音声を出力後データの入力が開始されないと、該出力後所定時間が経過するごとに、直前に出力したガイド音声よりも長いガイド音声をスピーカ１６から出力するように構成すること。
【００４２】
（２）コンピュータには、小型表示部を備えた、キー入力部に添設可能な補助装置が接続され、ガイド音声を出力する段階の前後に又は同時に、入力可能なデータに関する情報を前記小型表示部に表示するように構成すること。
【００４３】
【発明の効果】
本発明の入力ガイド方法、入力ガイドプログラム、及び当該プログラムを記録したコンピュータ読取可能な記録媒体によれば、データの入力作業の効率を向上させるとともに、ユーザの疲労度を低減することができるという優れた効果を奏する。
【図面の簡単な説明】
【図１】本発明の実施形態に係る会計処理プログラムを実行するコンピュータを示す正面図である。
【図２】同コンピュータのキーボード及び補助装置を示す平面図である。
【図３】同コンピュータの構成を示すブロック図である。
【図４】同入力ガイドプログラムで使用する入力画面データの入力項目データの構成を示す図である。
【図５】同入力画面データによる表示画面の一例を示す図である。
【図６】同入力項目データの一例を示す図である。
【図７】同補助装置の表示画面の一例を示す図である。
【図８】同会計処理プログラムの音声出力処理の流れを示すフローチャートである。
【図９】同コンピュータの側面図である。
【符号の説明】
１    コンピュータ
２    キーボード
４    補助パネル
５    表示部
１６    スピーカ
２０    会計処理プログラム
２１    会計処理データ
２２    音声データ
２６    リストデータベース
３１    短ガイド名
３２    長ガイド名
３３    入力データ種別
５１    日付入力項目
５２    借方入力項目
５４    借方補助入力項目
５５    貸方入力項目
５７    貸方補助入力項目
５８    金額入力項目
５９    摘要入力項目
６０    課税区分入力項目
６１    消費税区分入力項目
６５    リスト表示エリア
【図１】
0004362240.tif 000002
【図２】
0004362240.tif 000003
【図３】
0004362240.tif 000004
【図４】
0004362240.tif 000005
【図５】
0004362240.tif 000006
【図６】
0004362240.tif 000007
【図７】
0004362240.tif 000008
【図８】
0004362240.tif 000009
【図９】
0004362240.tif 000010